(57)【要約】【課題】  研磨機能が減退するようなことなく、爪磨きの用具として研磨機能を発揮し、取扱いだ容易で美的効果を発揮する構成の爪磨き具として、あるいは使用目的を変えて装飾体とすることができる部材を提供する。【解決手段】  所定寸法で曲率半径の大きい球面の一部をなす緩やかな凹曲面２ａに形成された基材２の前記凹曲面２ａに、微小な超硬粒６が分布されて電気メッキによる金属皮膜層４にて固着してなる超硬粒層（研磨部５あるいは装飾部）が形成された構成で、前記超硬粒の尖端部６ａが露出するように形成することでこの超硬粒層が研磨機能を発揮して爪磨き具１を構成する。また前記超硬粒として光屈折率の高いものを用い、その上部を透明樹脂でカバーすることにより装飾体とすることができるものである。【選択図】図２
2017064349.tif 000002
【特許請求の範囲】
【請求項１】
所定寸法で球面の一部をなす緩やかな凹曲面に形成された基材の前記凹曲面に、微小な超硬粒が分布されて電気メッキによる金属皮膜層にて固着してなる超硬粒層が形成されていることを特徴とする弯曲面に超硬粒層を固着形成された部材。
【請求項２】
基材は金属板を湾曲させて表面が曲率半径の大きい球面の一部となる形状にされ、その凹曲面上に電気メッキされた光沢のあるベース層上に超硬粒が分布されて金属皮膜層により固着された超硬粒層が形成されていることを特徴とする請求項１に記載の弯曲面に超硬粒層を固着形成された部材。
【請求項３】
前記基材が把持するのに適応した寸法で曲率半径が大きい球面の一部となる形状で、その凹曲面の表面に、超硬粒として微細なダイヤモンド粒子を分布させて電着した研磨層を形成し、この研磨層を形成する前記ダイヤモンド粒子はその尖端部分のみを露出させて他の周面を基材に鍍着するニッケル層とその表層に積層する非鉄金属の被膜保持層によって基材に固着されていることを特徴とする請求項１または２に記載の弯曲面に超硬粒層を固着形成された部材。
【請求項４】
前記部材が爪磨き具である請求項１〜３のいずれかに記載の弯曲面に超硬粒層を固着形成された部材。
【請求項５】
所定外形寸法で球面の一部をなす緩やかな凹曲面に形成された基材の前記凹曲面上には金属光沢の強い金属皮膜層が形成され、その金属皮膜層上に、光屈折率の高い微小な超硬粒が分布されて電気メッキによる金属被膜層で固着され、さらに透明な樹脂によりカバーされた装飾部が形成されて装飾体を構成することを特徴とする弯曲面に超硬粒層を固着形成された部材。
【発明の詳細な説明】
【技術分野】
【０００１】  本発明は、弯曲面を形成された物体の前記弯曲面に、微小な超硬粒を一面に固着して美的効果を併有する爪やすり、あるいは装飾体とすることができる弯曲面に超硬粒を固着形成された部材に関するものである。
【背景技術】
【０００２】  従来、例えば野球のピッチャー、その他スポーツ選手あるいは音楽家などで手指を大事にする人たちは、職業上もしくはスポーツ活動のために爪の管理が重要であり、そのために爪先を常に最適な状態に磨き揃えるようにしている。また、趣味と個性を引き立たせるような目的で、手足の爪の表面に装飾を施す、いわゆるネールアートが一種の流行で実施されている。この爪の表面に装飾を施すためには、爪先を整えまた表面を磨き平滑にしてネール専用の樹脂液を塗布する必要がある。【０００３】  このような手足の爪先を整えることや表面を磨くのに便利な爪磨き具としては、既に種々の提案が行われている。一般的に、提案されている爪磨き具としては、例えば特許文献１によって知られるようなものがある。
この特許文献１に開示される爪磨き具は、平たく細長い芯材の一方の面にスポンジ層を貼着して、その表面に一般的な研磨砥粒を付着して研磨層を形成し、他方の面にスポンジ層を貼着した構造のものが記載されている。そして、この爪磨き具は、研磨砥粒を付着させた部分で爪表面を荒磨きしてスポンジ層の表面で磨いて艶出しするようにしたものである。【０００４】  しかしながら、この公開されている爪磨き具では、細長い芯材の表面に接着されたスポンジ層の上面に粘着剤によって研磨砥粒が付着された研磨層を設けているので、当然のことながら使用によって研磨砥粒が剥離して脱落し、使用に耐えなくなるという問題点がある。特に、研磨砥粒が部分的に剥落することで、研磨面が不均等になり、そのまま使用を続けると研磨層の不均一で砥粒がむき出しになることにより磨いているつもりが爪先や表面に傷を付け不具合となる。しかも、直線的な用具であるため、爪先を研ぐ（磨く）場合、用具を大きく廻すような操作を行うので不便なことが多い。【０００５】  また、前記爪磨き具と同様に柄部を備える細長い基材の片面に艶出し溶剤を含浸させたスポンジ層を付着させ、そのスポンジ層の上面に樹脂系の接着剤によって砥材（研磨砥粒）を付着させて研磨層を形成した構造のものが特許文献２によって知られている。このような構成からなる爪磨き具にあっては、スポンジ層によるクッション性を具備させて爪表面の研磨を行うことで、一見クッション性が有効に機能するように見受けられる。また、スポンジに含浸させた艶出し剤による艶出し効果を相乗させるものとするが、前述（特許文献１記載）のものと同様に使用によって研磨砥粒が剥落することは避けられない。したがって、短期的に使用するにはそれなりの効果を得ることが可能であっても、長く効果的に使用できないという問題がある。もちろん、砥粒の剥落によって研磨面が粗面となり、研磨しようとする爪を傷付けてしまうという問題点は避けられない。【０００６】  このほかに、基材の表面にスポンジ層を形成して、そのスポンジ層の上面にサンドペーパーを付着させて研磨面とした爪やすりのようなものが知られている。しかしながら、このような構造のものでは、一時的に使用可能であっても、例えば爪の手入れ器具として長期使用に供することは望めない。【０００７】  爪磨き具としては、前記したような構造のもののほかに、例えば図６で示されるように、細幅で所定長さの金属板で形成される部材の表面もしくは表裏両面の一部にやすり面２１（研磨部）を設けてその他の部分が手持ちする柄部２２としたものがある。この爪磨き具２０は、前記やすり面２１として微細な砥粒が金属メッキの手法で所定範囲の前面に固着分布されており、砥粒は金属膜によってベース２３の金属部分に一体的に固着されているので剥離することなく使用できる利点があるものである。【０００８】  しかしながら、前記爪磨き具２０は一般家庭やその他商店などで使用する場合には特別問題とならないが、通常携帯できる程度の寸法形状になっていることから、例えば、この爪磨き具２０を旅行に際し携行した場合、昨今の事情から航空機を利用して旅行する場合、携帯不可の物品に該当する。そのため、使用に便利であるとしても、携帯��ることができないという問題点がある。【０００９】  そこで、前述のような長柄の爪磨き具に代えて柄部のない形状にしたものを提案することが考えられる。このような形状の爪磨き具については、前記特許文献２の図４または図５で示されるようなものがある。しかしながら、この種の形状では取扱上爪を磨ぐ部分が破損しやすいなどの問題点がある。また、やすり本体を半球面状（椀型）にしたものが特許文献３によって開示されている。この特許文献３に開示されているものは、薄板を半球状に形成してその内側凹面及び外周半球面を何れもやすり部とするものである。しかしながら、記載内容では内外両やすり面についてどのように形成されているのか全く示されておらず、ただ単にやすり部であることを示しているが、現実半球凹曲面並びに外周曲面を直接的にやすり部とすることは極めて困難なものであり、実現性に乏しいものである。【００１０】  一方、携帯して手軽に使用できる小型の爪磨き具のような物品は、野球選手（特にピッチャー）やその他のスポーツ選手あるいはピアノ，弦楽器などを扱う音楽家には必携のものであり、また、身だしなみを整えることと同時に、使用者の嗜好や趣味的効果を奏するものが好まれる。したがって、小物といえども目的の機能性を有することはもちろん所持者の趣味的効果をも満足できるものであることが好ましい。しかしながら、従来の爪磨き具などの物品においては機能の追及に主眼が置かれ、一般的に美的効果に乏しいものが多かった。
【先行技術文献】
【特許文献】
【００１１】
【特許文献１】  特開２００６−３４６４２５号公報
【特許文献２】  特開昭６２−２９５６０９号公報
【特許文献３】  特開平９−９８８２７号公報
【発明の開示】
【発明が解決しようとする課題】
【００１２】  本発明では、前述のような従来品における問題点を解決し、長期使用において研磨機能が減退するようなことなく、爪磨きの用具として有効に研磨機能を発揮し、かつ取扱いが容易で、しかも日常的な用具としての美的効果をも発揮する構成の爪磨き具として、あるいは使用目的を変えて所定の形状に変化させると装飾体とすることができる、弯曲面に超硬粒を固着形成された部材を提供することを目的とするものである。【００１３】  この発明においては、弯曲面に沿って形成する研磨機能面を形成するのに、研磨砥粒としてダイヤモンド粒子、サファイアなど超硬粒を使用し、この超硬粒を金属メッキ層によって基材面に固着させることで外力を加えても離脱することなく常時研磨機能を発揮できるようにし、長期にわたり安定使用できるように構成とし、超硬粒を金属メッキによって基材上に固着したことにより、超硬粒の光屈折作用でメッキ層のもつ色調と相俟って美的効果を醸成する物品の提供を目的とする。
【課題を解決するための手段】
【００１４】  このような目的を達成するために、本発明による弯曲面に超硬粒層を固着形成された部材は、
所定寸法で球面の一部をなる緩やかな凹曲面に形成された基材の前記凹曲面に、微小な超硬粒が分布されて電気メッキによる金属皮膜層にて固着してなる超硬粒層が形成されていることを特徴とするものである。【００１５】  前記発明において、基材は金属板を弯曲させて表面が曲率半径の大きい球面の一部となる形状にされ、その凹曲面上に電気メッキされた光沢のあるベース層上に超硬粒が分布されて金属皮膜層により固着された超硬粒層が形成されていることを特徴とする。【００１６】  前記基材が把持するのに適応した寸法で曲率半径が大きい球面の一部となる形状で、その凹曲面の表面に、超硬粒として微細なダイヤモンド粒子を分布させて電着した研磨層を形成し、この研磨層を形成する前記ダイヤモンド粒子はその尖端部分のみを露出させて他の周面を基材に鍍着するニッケル層とその表層に積層する非鉄金属の被膜保持層によって基材に固着されていることを特徴とするものである。このように構成される部材は爪磨き具として利用するのに好ましい形態である。【００１７】  また、本発明において、基材の前記凹曲面上には金属光沢の強い金属塗膜層が形成され、その金属塗膜層上に、光屈折率の高い微小な超硬粒および／または前記超硬粒よりも粒径の大きい宝石類を混在分布してなる超硬粒層を形成し、前記超硬粒層上を透明度の高い樹脂により被覆されて装飾体を構成することを特徴とするものである。
【発明の効果】
【００１８】  本発明によれば、基材の凹曲面に超硬粒を分布させた砥粒として微細な超硬粒（例えばダイヤモンド粒子）を基材上に設けたニッケルのベース層に、同時に処理される保持層によって確実に自立固定させ、前記超硬粒の尖端部のみを露出させて外力で剥落しない構成としたことにより、わずかに尖端のみを露出させた微細な超硬粒により凹曲面上に研磨層が形成され、この研磨層が緩やかな凹曲面となっているので、手で抱え込むようにして指爪先とこの部材との一方を相対的に移動変位させることにより無理なく円滑に爪を研ぐことができ、爪磨き効果を著しく高めた用具とすることができる。しかも超硬粒の保持層として光沢を発揮する金属、ニッケルや金を用いることにより、研磨層のベースが優れた光沢を呈し、無数に露出する超硬粒としてダイヤモンド粒を用いれば、そのダイヤモンド粒の光の屈折効果での輝きと相俟って特異な美的効果を発揮するものとなり、磨きの利便性に加えて美観を呈する用具とすることができる。【００１９】  また、本発明によれば、球形の一部にてなる緩やかな凹曲面に沿って光沢を発揮する金属でメッキしたベース層上に、光屈折率の高い粒子を分布固着して表層を透明な樹脂で覆うことにより、ベース層の光沢を光屈折率の高い粒子の層で反射させて美的効果の高い装飾体を得ることができる。
【図面の簡単な説明】
【００２０】
【図１】本発明に係る弯曲面に超硬粒層を固着形成された部材の地形態として爪磨き具に適用した一実施形態の一部を切断全体斜視図である。
【図２】図１におけるａ−ａ視縦断面図である。
【図３】超硬粒付着部分の一部を拡大して表わす断面図である。
【図４】爪磨き具に適用した場合の使用形態を表す図である。
【図５】装飾体とした場合の一例を一部拡大断面で表す全体斜視図である。
【図６】従来の爪磨き具の一例を表す斜視図である。
【発明を実施するための形態】
【００２１】  次に、本発明の弯曲面に超硬粒層を固着形成された部材の適用例として構成される爪磨き具について、その一実施形態を表す図面を参照しつつ説明する。
【００２２】  この実施形態の爪磨き具１は、全体を手で把持して操作できる大きさの金属板材で球体の一部となる緩やかなＲ（描画半径寸法。具体的には球体の中心からの半径）にて描く凹曲面を形成された基材２で、前記凹曲面（以下、「表面２ａ」という。）上に薄い金属メッキによる光沢を備えたベース層３を設け、このベース層３上に微小な超硬粒（実施例としてはダイヤモンド粒６）を分布させて金属メッキによる保持層４で固定保持させ研磨層（研磨部５、本発明の「超硬粒層」に相当する。以下同様。）を形成したものである。
【００２３】  前記爪磨き具１の基材２としては、例えばステンレス鋼（これに限定されるものではない。）を使用し、把持して使用するのに適した厚さ寸法の平板を、球体の一部となる緩やかなＲ（描画半径寸法。具体的には球体の中心からの半径）にて描く凹曲面を形成され、全体として円形に形成してある。
【００２４】  このような形状の基材２の表面２ａには研磨部５が形成されている。この研磨部５は、電気メッキ処理により基材２の表面にニッケル被膜によるベース層３を設け、このベース層３の上面にダイヤモンドの微粒子６（本発明の「超硬粒」に相当する）を電着し、このベース層３形成のニッケルにより、そのダイヤモンド粒６が自立安定するように、保持層４でもって粒子基部を固着保持させて形成される（図３参照）。
【００２５】  前記研磨部５を構成するダイヤモンド粒６は、表面に金属皮膜が形成されていない粒子単独のものが使用されている。このために、ダイヤモンド粒６を前記基材２の表面に分布固着する手段として複合メッキの手法を採用し、メッキ液中に配置した基材２の表面２ａに向かってダイヤモンド粒を噴射し、基材表面２ａに電着されつつあるニッケル膜（ベース層３）の成長に付帯して吹き付けたダイヤモンド粒６が付着し固定されるようにする。なお、ここで使用するダイヤモンド粒６としては、例えば粒径が５〜５０μｍの範囲のもので前述のように表面処理を施さないものである。
【００２６】  ダイヤモンド粒６が付着される基材２の表面２ａは、前述のように大きなＲで描く緩やかな球体の一部をなす凹曲面であるので、メッキ液中で噴射されるダイヤモンド粒６が周辺に大きく散逸することなく目的の表面に沿って分布され付着する。噴射されるダイヤモンド粒６は前述のように金属コーティングされていないものを用いるので、粒子同士が吸着現象を起こさず分散してベース層３上に付着され、局部的に集中して付着することなく分布される。そして、このダイヤモンド粒６の基材２に対する電着処理においては、通常の電着処理時間以上に長い時間をかけてダイヤモンド粒６が自立定着できるように処理し、ベース層３上に前記ダイヤモンド粒６の高さ方向の半分程度が抱えられて沈み込まれるようにニッケル被膜による保持層４の厚さ寸法を厚くする。
【００２７】  このような構成にてなる本実施形態の爪磨き具１は、基材２全体を手で握って処理しようとする手指先の爪を研磨部５に当てがい軽く凹曲面に、あるいは爪先を曲面に沿うように動かすことで、研磨部５の表面に僅かに露出したダイヤモンド粒６の尖端部６ａによって細かく擦過することで磨く（擦り落とす）ことができる。このとき、研磨部５に無数にちりばめられて固着されている砥粒５は、その尖端６ａがごく僅かに保持層４表面から露出して、しかもダイヤモンド粒６であるので、尖鋭状態が保たれて研磨機能を充分に発揮されるのである。
【００２８】  そして、研磨部５におけるダイヤモンド粒６は、爪磨き操作を繰り返し行っても、前述のようにベース層３に接して保持層４にて埋没する程深く閉じ込められて自立保持されているので、一般の砥石における砥粒のように、砥粒が適度の剥落をすることにより新たな砥粒を露出させて研磨機能を高めるものではなく、硬度の高いダイヤモンド粒子を用いることにより使用によって剥落させずに研磨面に保持させ、尖端部６ａの尖鋭さが維持されて長期使用に耐えるのである。
【００２９】  また、本実施形態の爪磨き具１は、研磨部５の無数のダイヤモンド粒６がベース層３上で保持層４により基部を保持され、基部より上が露出しているので、全体的に見てベースが例えば金色を呈する金属であると、その金色のベース部分に多彩な屈折光を発するダイヤモンド粒が散りばめられた態様となる。したがって、ベースの金色の光沢と散りばめられたダイヤモンド粒の発する煌めきとによって特異な美的効果を発揮するとともに、一種の装飾的要素を備え保持者に愛着感を与える用具とすることができる。
【００３０】  また、本実施例の爪磨き具１によれば、前述のように爪先を整えるために研磨することのほか、爪表面を研磨部５の面に沿わせるようにして指を回すように動かせば、研磨部５が緩やかな円曲面をなしているので、無理なく磨くことができる。そして、全体が緩やかな椀型を呈しているので、携帯するにも支障なく、問題となることもない。なお、本実施例の爪磨き具１として用いる場合、前記研磨部５の表面に透明な樹脂被膜を施すことによりダイヤモンド粒６を固定している保持層４の金属部分（ニッケル）を覆って安全性を確保できる。
【００３１】  本発明の弯曲面に超硬粒層を固着形成された部材の他の実施形態としては、装飾体として構成することができる。この装飾体の実施形態としては、ブローチやペンダント，装飾ボタンなどの装身具を形成することができる。
【００３２】  装飾体の実施形態としては、図５に例示する装身具の一例としてブローチ１０について記載する。このブローチ１０は、前述のように金属板（例えばステンレス鋼板）を曲率半径が大きい球面体の一部を形成する緩やかな曲面に形成された基板１１の凹曲面１２上に、例えば金色を呈する金属メッキによるベース層１３を形成するとともに、ダイヤモンド粒６を分布して定着させて、かつそれらダイヤモンド粒６を固定するためにニッケルメッキによる保持層１４を形成し、このダイヤモンド粒６を散りばめた表面に透明な樹脂によるカバー層１５を形成して装飾部１７を形成する。なお、前記カバー層１５を形成する透明な樹脂は、光透過性を妨げないものが用いられる。また、前記ダイヤモンド粒６の分布付着は、前述の爪磨き具におけると同様に、複合メッキによる吹き付け手法によって凹曲面に対して定着させる。
【００３３】  前記このような構成とすることで、凹曲面１２に分布させた無数のダイヤモンド粒６がベース層１３の色調を得て多彩な屈折光を発し特有の輝きを呈するとともに、基材１１の外形を正円形以外に楕円形やその他異形とするなど、任意の形状を選択することで、装飾部１７として前述のように凹曲面１２上にダイヤモンド粒６の分布層を配することと相俟って一層の美的効果を発揮することができる。もちろん、ブローチ１０とするための取付金具（図示せず）などは基材１１の背面側に設けることで、装飾性を阻害することはない。
【００３４】  また、前記装飾体としては装飾部１７にダイヤモンド粒６に加えてサファイヤやルビーなど異なる色彩の輝石１８を適宜配分して取付けることで、より一層の輝きを呈することになる。また、前述のような構成を小型化すれば、例えば装飾ボタンなどの装身具として適用することが可能である。
【００３５】  以上に記述の本発明に係る弯曲面に超硬粒層を固着形成された部材は、爪磨き具のような理容用具や装飾体として多くの用途に適用することができ、超硬粒を巧みに基材上に分布定着させることで、従来滴用範囲が限られていた部材を組み合わせて美的効果を発揮する物品を得ることができたのである。なお、超硬粒としては前述のダイヤモンド粒に限定されることなく、サファイヤなども採用できることは言うまでもない。
【符号の説明】
【００３６】１      爪磨き具
２、１１      基材
２ａ、１２    表面（凹曲面）
３、１３      ベース層
４、１４      保持層
５      研磨部
６      ダイヤモンド粒
６ａ    ダイヤモンド粒の尖端部
７、１５      カバー層
１０    ブローチ（装飾体）
１７    装飾部
【図１】
2017064349.tif 000003
【図２】
2017064349.tif 000004
【図３】
2017064349.tif 000005
【図４】
2017064349.tif 000006
【図５】
2017064349.tif 000007
【図６】
2017064349.tif 000008